(57)【要約】      （修正有）【課題】輝度を向上させる発光ダイオードのランプカバーを提供する。【解決手段】凹部内壁面１１が形成されるカバー本体１０を有し、該カバー本体１０の前面側に大開口が形成されると共に、後面側に小開口が形成され、該凹部内壁面１１をすり鉢状に形成し、凹部内壁面１１に後面側の小開口より前面側の大開口に向けて形成される放射状の直線溝と該直線溝１５と交差する周方向に沿って、所定の間隔位置に設けられた複数のリング溝１６とによって形成される凸形状の複数の反射曲面を有する反射部が設けられた構成とした。【選択図】図３
0003112851.tif 000002
【実用新案登録請求の範囲】
【請求項１】
凹部内壁面が形成されるカバー本体を有し、該カバー本体の前面側に大開口が形成されると共に、後面側に小開口が形成され、該凹部内壁面をすり鉢状に形成すると共に、該内壁面に複数の反射曲面を有する反射部が設けられることを特徴とする発光ダイオードのランプカバー。
【請求項２】
前記反射部に複数の直線溝と、該直線溝と交差する複数のリング溝が形成されることにより、複数の反射曲面が形成されると共に、該複数の反射曲面はそれぞれ凸曲面状となるように後面側から前面側へ向って徐々に拡大されており、前記カバー本体の外壁面には外方に向かって延出する少なくとも二本の取付ロッドが設けられ、該取付ロッドの自由端に取付孔が形成されることを特徴とする請求項１に記載の発光ダイオードのランプカバー。
【請求項３】
前記カバー本体の前端外周の突出縁を、多角形状に形成し、各突出縁にはそれぞれ楔結合用の係合凹部と係合凸部とが設けられることを特徴とする請求項１又は２に記載の発光ダイオードのランプカバー。
【考案の詳細な説明】
【技術分野】
【０００１】
本考案は、特に発光ダイオードの輝度を向上させるランプカバーに関するものである。
【背景技術】
【０００２】
現在の電子製品の開発方針としては、薄型化、軽量化、小型化、及び省エネ化であり、その電気製品には、優れた特徴を有する発光ダイオードが用いられている。又、該発光ダイオードの輝度を向上させるためには、発光ダイオード自体の発光輝度を向上させる改良以外にも、該発光ダイオードの外側に配設するランプカバーの改良がなされており、発光ダイオードから発散した光線をランプカバーの構成における反射面で反射集光することにより、輝度を向上させる方法がある。
【考案の開示】
【考案が解決しようとする課題】
【０００３】
従来の発光ダイオードにおけるランプカバーは、該発光ダイオードと対応するすり鉢状の反射面を有し、この反射面によって発光ダイオードから発散した光線を反射集光することにより、輝度を向上させるようにしているが、この集光した光線では未だ輝度不足が否めないという問題を有し、更に改良する必要がある。
【０００４】
そこで案出されたのが本考案であって、輝度を向上させることの出来る発光ダイオードの輝度を、ランプカバーの改良によってさらに向上させるようにした発光ダイオードにおけるランプカバーを提供することを目的としている。
【課題を解決するための手段】
【０００５】
本願の請求項１の考案は、凹部内壁面が形成されるカバー本体を有し、該カバー本体の前面側に大開口が形成されると共に、後面側に小開口が形成され、該凹部内壁面をすり鉢状に形成すると共に、該内壁面に複数の反射曲面を有する反射部が設けられることを特徴とする。
【０００６】
本願の請求項２の考案は、請求項１に記載の発光ダイオードのランプカバーにおいて、前記反射部に複数の直線溝と、該直線溝と交差する複数のリング溝が形成されることにより、複数の反射曲面が形成されると共に、該複数の反射曲面はそれぞれ凸曲面状となるように後面側から前面側へ向って徐々に拡大されており、前記カバー本体の外壁面には外方に向かって延出する少なくとも二本の取付ロッドが設けられ、該取付ロッドの自由端に取付孔が形成されることを特徴とする。
【０００７】
本願の請求項３の考案は、請求項１又は２に記載の発光ダイオードのランプカバーにおいて、前記カバー本体の前端外周の突出縁を、多角形状に形成し、各突出縁にはそれぞれ楔結合用の係合凹部と係合凸部とが設けられることを特徴とする。
【考案の効果】
【０００８】
本考案は上記の課題を解決するものであり、凹部内壁面が形成されるカバー本体を有し、該凹部内壁面をすり鉢状に形成すると共に、該内壁面に複数の反射曲面を有する反射部を設け、該反射部における鏡面仕上げされた凸曲面である複数の反射曲面によって発光ダイオードの光線を多方向に反射させることにより、光線の反射回数を増加させ輝度を向上させることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１０】
図１は本考案に係る発光ダイオードのランプカバーの第１実施例を示す斜視図であり、図２は本考案に係る発光ダイオードのランプカバーの平面図であり、図３は本考案に係る発光ダイオードのランプカバーの断面図であり、図４は本考案に係る発光ダイオードのランプカバーについて、二個のランプカバーの使用状態を示す平面図であり、図５は本考案に係る発光ダイオードのランプカバーについて、四個のランプカバーの使用状態を示す平面図であり、図６は本考案に係る発光ダイオードのランプカバーについて、複数のランプカバーの使用状態を示す平面図である。
【００１１】
図１乃至図３に示すように、本考案に係る発光ダイオードのランプカバーは、凹部内壁面１１が形成されるほぼ逆台形のすり鉢形状をなすカバー本体１０を有し、該カバー本体１０の前面側に大開口が形成されると共に、後面側には小開口が形成されており、この構成により、前記凹部内壁面１１はすり鉢形状となっている。
前記すり鉢形状の凹部内壁面１１には、反射曲面を異ならせた複数の反射曲面１３から成る反射部１２が設けられている。
【００１２】
即ち、前記反射部１２は、凹部内壁面１１に、後面側の小開口より前面側の大開口側に伸びる複数の放射状の直線溝１５と、該直線溝１５と交差する周方向に沿って所定の間隔位置に設けられた複数のリング溝１６とが形成されることにより、前記直線溝１５とリング溝１６とによって区画された凸曲面状の複数の反射曲面１３からなる。前記反射部に、複数の直線溝と、該直線溝が交差する複数のリング溝とが形成されることにより、複数の反射曲面が形成されると共に、該複数の反射曲面はそれぞれ凸曲面状となり、且つ後面側から前面側へ向って徐々に拡大されている。
本実施例においては、該反射部１２に１２本の放射状の直線溝１５が形成されることにより、隣接の直線溝１５との角度が３０度となっている。
【００１３】
又、前記カバー本体１０の外壁面には後面側へ向かって延出する少なくとも二本の取付ロッド１４が一体成形により設けられ、該取付ロッド１４の自由端に取付孔１４１が形成され、ねじ等の固定部材が取付孔１４１に螺設されることにより、該カバー本体１０を発光装置に設置可能としており、発光装置における発光ダイオード３０をカバー本体１０の後面側の小開口より凹部１１内へ挿入位置決めする。
【００１４】
本考案に係る発光ダイオードのランプカバーは、主に鏡面仕上げした反射部１２における凸面状の複数の反射曲面１３によって発光ダイオード３０の光線を反射することにより、光線の反射回数を増加すると共に、輝度を向上する。
【００１５】
又、前記カバー本体１０は、同一形状の他のカバー本体１０と連結できるように、前端外周の突出縁２０を、四角形，六角形，八角形など多角形状の矩形状または正方形状に形成することが出来る。個々のカバー本体としては、同一形状とすることで、互いの組み合わせが容易となり、製造コストも安価となる。この実施例では正四角形状であり、四方の前記突出縁２０各々には、楔結合を可能とする係合凹部２１と係合凸部２２がそれぞれ設けられ、同一形状の他のカバー本体１０の係合凹部２１と係合凸部２２とが楔結合するのを可能としている。
【００１６】
図４乃至図６に示すものは、本考案に係る発光ダイオードのランプカバーを、同一形状の他のカバー本体１０の係合凹部２１と係合凸部２２とを楔結合することで、複数のカバー本体１０を組合わせることができる状態を示したものである。
【産業上の利用可能性】
【００１７】
本考案は上述したように、内側に凹部が形成されるカバー本体を有し、該凹部の内側にすり鉢状に配列する複数の反射曲面を有する反射部が設けられ、鏡面仕上げされた該反射部における凸面状の複数の反射曲面によって発光ダイオードの光線を反射させることにより、光線の反射回数を増加させる構成であるので、輝度を向上させることができる。
【図面の簡単な説明】
【００１８】
【図１】本考案に係る発光ダイオードのランプカバーの実施例を示す全体斜視図である。
【図２】本考案に係る発光ダイオードのランプカバーの平面図である。
【図３】本考案に係る発光ダイオードのランプカバーの断面図である。
【図４】本考案に係る発光ダイオードのランプカバーを２個連結した状態の使用状態を示す平面図である。
【図５】本考案に係る発光ダイオードのランプカバーを４個連結した状態の使用状態を示す平面図である。
【図６】本考案に係る発光ダイオードのランプカバーを３５個連結した状態の使用状態を示す平面図である。
【符号の説明】
【００１９】
１０        カバー本体
１１        凹部
１２        反射部
１３        反射曲面
１４        取付ロッド
１４１      取付孔
１５        直線溝
１６        リング溝
２０        突出縁
２１        係合凹部
２２        係合凸部
３０        発光ダイオード
【図１】
0003112851.tif 000003
【図２】
0003112851.tif 000004
【図３】
0003112851.tif 000005
【図４】
0003112851.tif 000006
【図５】
0003112851.tif 000007
【図６】
0003112851.tif 000008